(57)【要約】      （修正有）【課題】業務用や家庭用のごみを収集する際にごみ収集袋を効果的に使用することが可能で、ごみ袋の開口部を開放状態にして係止することが容易であり、簡素な構造であり低価格で使用用途の広いごみ収集補助箱を提供する。【解決手段】ごみ収集補助箱Ａは、ごみ袋を立設する保形体１と、当該ごみ袋の開口部を開放状態に保持する係止部５で構成され、保形体１には、把手部の穴２を備えており筒体状に形成している。また、前記係止部は、前記穴近傍に取り付けられたチェーンや紐４により他端側に重りが連結されて吊り下げられていることによって、容易にごみ袋開口部を拡開保持することができる。【選択図】図１
0003188292.tif 000002
【実用新案登録請求の範囲】
【請求項１】
柔軟性を有するごみ袋を立設する保形体と、該ごみ袋の開口部を開放状態に保持する係止部において、前記保形体は、把手部の穴を備えた筒体状に形成してなり、前記係止部は、前記穴近傍に取り付けられたチェーンや紐により他端側に重りが連結されて吊り下げられていることを特徴としているごみ収集補助箱。
【請求項２】
請求項１において、前記保形体は円筒状に形成してなることを特徴としているごみ収集補助箱。
【請求項３】
前記保形体は磁性を帯びたものを吸着する金属体であって、前記重りは磁石で形成されていることを特徴とする請求項１又は２記載のごみ収集補助箱。
【請求項４】
前記保形体が巻回可能な帯状部材を用いて構成されている請求項１から３のいずれか１項に記載のごみ収集補助箱。
【考案の詳細な説明】
【技術分野】
【０００１】本考案は例えば公園、学校、病院、工場、事務所、住宅等において、業務用や家庭用のごみを収集する際にごみ収集袋を効果的に使用することが可能なごみ収集補助箱に関するものである。
【背景技術】
【０００２】屋内外の清掃作業で得られたごみを収集する際には、一般的にごみ収集補助箱として有底箱状のごみ箱内にごみ袋を内装した構造のものが知られている。また、ごみ袋内部に挿入可能な筒体状のごみ収集補助箱の構造のものも知られている。（例えば、非特許文献１及び２参照。）
【先行技術文献】
【０００３】
【非特許文献１】特開２００１−２２５９０１号公報
【０００４】
【非特許文献２】特開２００８−１４３６０４号公報
【考案の概要】
【考案が解決しようとする課題】
【０００５】過去に種々のごみ収集補助箱がでており、ごみ袋を建屋内の床や建屋外の地面に安定して自立させ、ごみ袋の開口部を拡開保持可能な構造のごみ収集補助箱が知られている。【０００６】ごみ収集補助箱として有底箱状のごみ箱内にごみ袋を内装した構造の場合、ごみ袋の開口部が閉口し易く、また、ごみ袋内の残留物が満杯状態で重量物であるとごみ収集補助箱から容易にごみ袋を抜き去ることができず、使用快適性が低下しているという欠点がある。【０００７】ごみ収集補助箱としてごみ袋内部に挿入可能な筒体状のごみ箱内にごみ袋を内装した構造の場合、ごみ袋の開口部を開放状態にして係止するためにごみ収集補助箱の上縁にごみ袋の開口部を挟持する突起物が設けられているという欠点がある。【０００８】本考案は、前記列挙したような問題点を解決するためになされたもので、ごみ袋を建屋内の床や建屋外の地面に安定して自立させることが可能であって、ごみ収集補助箱内にごみ袋を内装することやごみ袋内部にごみ収集補助箱が挿脱自在な構造とするものである。【０００９】さらに、ごみ袋の開口部を開放状態にして係止することを容易であり、ごみ袋開口部を損傷することがなく、簡素な構造であり低価格で使用用途の広いごみ収集補助箱を提供することを目的とする。
【課題を解決するための手段】
【００１０】本考案であるごみ収集補助箱は、上記課題を解決するためになされたものであり、柔軟性を有するごみ袋を立設する保形体と、当該ごみ袋の開口部を開放状態に保持する係止部で構成されている。
前記保形体は、把手部の穴を備えており筒体状に形成している。また、前記係止部は、前記穴近傍に取り付けられたチェーンや紐により他端側に重りが連結されて吊り下げられていることを特徴としている。【００１１】このような構成によれば、本考案にかかるごみ収集補助箱にごみ袋を内装することやごみ収集補助箱をごみ袋内に挿入することによって、ごみ袋を立設状態に保持することができる。【００１２】また、ごみ袋の開口部を開放状態に保持する係止部においては、把手部の穴近傍に取り付けられたチェーンや紐により他端側に重りが連結されて吊り下げられているため、ごみ収集補助箱にごみ袋を内装することやごみ収集補助箱をごみ袋内に挿入する場合であっても、ごみ袋の開口部を重りで前記保形体に押圧することによって、容易にごみ袋開口部を拡開保持することができる。【００１３】請求項２の考案は、前記保形体が円筒状に形成してなることを特徴とするものである。【００１４】請求項３の考案は、前記保形体は磁性を帯びたものを吸着する金属体であって、重りは磁石で形成されていることを特徴とするものである。【００１５】請求項４の考案は、前記保形体を帯状で磁性を帯びたものを吸着する金属体で形成され、一方端面に磁石部を有し、巻回すことにより保形体を形成することを特徴とするものである。
【考案の効果】
【００１６】本考案は以上に説明したように、ごみ収集補助箱にごみ袋を内装することやごみ収集補助箱をごみ袋内に挿入することによって、ごみ袋を立設状態に保持することができ、把手部の穴近傍に取り付けられたチェーンや紐により他端側に重りが連結されて吊り下げられているため、ごみ袋の開口部を重りで前記保形体に押圧することによって、容易にごみ袋開口部を拡開保持することができる。【００１７】また保形体は磁性を帯びたものを吸着する金属体で制作した場合、重りを磁石で形成するとごみ収集袋を保形体により強固保持することが可能になる。【００１８】そして、ごみ収集補助箱にごみ袋を内装する場合、ごみ袋内にごみが満杯に入ったら、前記重りを開放してごみ袋の口を縛って閉口し、保形体を上部に容易に引き上げた後にごみ袋を廃棄処理することができる。
また、ごみ収集補助箱をごみ袋内に挿入する場合は、保形体内にごみが満杯に入ったら、前記重りを開放して保形体をごみ袋内から抜き去ることによりごみはごみ袋内に残留することになり、このごみ袋の口を縛って閉口し、そのままごみ袋内のごみを廃棄処理することになり、使用快適性を高めることができる。
また、ごみ収集補助箱の底がないので、ごみ収集補助箱の底がある構造と比較すると、ごみ収集補助箱を洗浄しやすいという効果も期待できる。
【図面の簡単な説明】
【００１９】
【図１】本発明の実施の形態例の全体斜視図である。
【図２】本発明の第１実施形態にかかる使用状態の図である。
【図３】本発明の第２実施形態にかかる使用状態の図である。
【図４】本発明の第１実施形態にかかる使用状態の説明図である。
【図５】本発明の第２実施形態にかかる使用状態の説明図である。
【図６】本発明の第３実施形態にかかる使用前の展開図である。
【図７】本発明の第３実施形態にかかる全体斜視図である。
【図８】本発明の第３実施形態にかかる部材を巻回した状態の説明図である。
【考案を実施するための形態】
【００２０】図１のＡはごみ収集補助箱であって実施の形態例の全体斜視図を示し、１は保形体で円筒状に形成され、把手部の穴２は前記保形体１の一方開口周縁付近に矩形状の穴が設けられている。把手部の穴対角部６は前記把手部の穴２の対角部に形成されている。
【００２１】４はチェーンまたは紐状であって、前記把手部の穴２近傍の前記保形体１に配設し、３は重りまたは磁石であって前記チェーンまたは紐４の他端側に連結されて吊り下げられている。５は係止部であって、前記チェーンまたは紐４と前記重りまたは磁石３により構成されている。
【実施例１】
【００２２】図２は、本考案の第１実施形態にかかるごみ収集補助箱Ａの使用状態の図である。本実施形態にかかるごみ収集補助箱Ａはごみ袋Ｂを内装して立設させて使用するものである。ごみ袋Ｂを立設状態に維持すると共に、ごみ袋Ｂの開口部を開放状態にするため、重りまたは磁石３を保形体１の外周面側からチェーンまたは紐４を巻回して配置して使用されるものである。【００２３】この実施の形態例は上記の使用方法を採用するため、ごみ袋Ｂは保形体１と重りまたは磁石３に挟持することにより開口保形されているので、ごみの投入を容易に行うことができ、使用快適性を高めることができる。【００２４】図４は第１実施形態にかかるごみ収集補助箱Ａの使用状態の説明図である。ごみ袋Ｂ内にごみＣが満杯に入ったら、重りまたは磁石３を保形体１の内周面側からチェーンまたは紐４を巻回して元に戻し、ごみ袋Ｂ開口部を縛って閉口し、保形体１の把手部の穴２を持って引き上げることによりごみ袋Ｂを廃棄処理することになる。
【実施例２】
【００２５】図３は、本考案の第２実施形態にかかるごみ収集補助箱Ａの使用状態の図である。本実施形態にかかるごみ収集補助箱Ａはごみ袋Ｂに挿入して立設させて使用するものである。ごみ袋Ｂを立設状態に維持すると共に、ごみ袋Ｂの開口部を開放状態にするため、重りまたは磁石３を保形体１の内周面側からチェーンまたは紐４を巻回して配置して使用されるものである。【００２６】この実施の形態例は上記の使用方法を採用するため、ごみ袋Ｂは保形体１と重りまたは磁石３に挟持することにより開口保形されているので、ごみの投入を容易に行うことができ、使用快適性を高めることができる。【００２７】図５は第２実施形態にかかるごみ収集補助箱Ａの使用状態の説明図である。保形体１内にごみＣが満杯に入ったら、重りまたは磁石３を保形体１の外周面側からチェーンまたは紐４を巻回して元に戻し、保形体１の把手部の穴２を持って抜き去ることによりごみＣはごみ袋Ｂ内に残留することになり、ごみ袋Ｂ開口部を縛って閉口し、ごみ袋Ｂを廃棄処理することになる。
【実施例２】
【００２８】図６は本考案の第３実施形態にかかるごみ収集補助箱Ａであって、保形体１が帯状で磁性を帯びたものを吸着する金属体で形成され、一方端面に磁石部８を有するものである。また保形体の上端から下端まで等間隔で溝を有するものである。【００２９】図７は第３実施形態にかかるごみ収集補助箱Ａの使用状態の説明図である。保形体端面を他端面に磁石部８により吸着させ、巻回すことにより保形体を形成したものである。【００３０】図８は第３実施形態にかかるごみ収集補助箱Ａを、巻回して保管運搬できるようにしたものである。【００３１】なお、本考案は上記実施の形態例に限られるものではなく、保形体１の形状は円筒状だけでなく矩形筒状または多角形筒状に形成され、保形体１の材質は金属製、プラスチック製、ガラス製、紙段ボール製等に適宜変更される。
また、保形体１の下部外縁部を内側に湾曲させることによって、ごみ収集補助箱Ａをごみ袋Ｂに挿入し易くすることもできる。
【産業上の利用可能性】
【００３２】本考案にかかるごみ収集補助箱Ａは工業的に安価で量産することが可能で、保形体１の大きさを変更すれば建屋内または建屋外部で使用することができ、重りまたは磁石３の重量を自由に変更することも容易なため、ごみ袋Ｂの開口部を保持する作業効率を向上することが可能であるため、日常生活上の使用快適性が高まる。
【符号の説明】
【００３３】Ａごみ収集補助箱
Ｂごみ袋
Ｃごみ
１保形体
２把手部の穴
３重りまたは磁石
４チェーンまたは紐
５係止部
６把手部の穴対角部
７帯状保形体
８磁石部
９溝
【図１】
0003188292.tif 000003
【図２】
0003188292.tif 000004
【図３】
0003188292.tif 000005
【図４】
0003188292.tif 000006
【図５】
0003188292.tif 000007
【図６】
0003188292.tif 000008
【図７】
0003188292.tif 000009
【図８】
0003188292.tif 000010